(57)【特許請求の範囲】
【請求項１】
被着材に対して融着状態にて接着をなす易凝集破壊性を有する、ポリエステル成分を80重量％以上含むヒートシール性ポリエステル系プラスチック層であって、破断伸度が０に近い非晶性線状飽和ポリエステルに他に少なくともポリカーボネイトを含んだ厚みが１５μｍ以下の第１層と、該第１層に隣接しこの第１層と融着状態にて接着をなす易凝集破壊性を有さないポリエステル系プラスチック層の第２層と、が共押出積層されていることを特徴とする食品包装用易剥離性フィルム。
【発明の詳細な説明】
【０００１】
【産業上の利用分野】
本発明は、食品等を充填する包装体において食品等の内容物の有するフレーバー成分を保持し、かつ、開封時に便利であってヒートシール後に該部分を剥離することにより開口できる易開封性包装体に有用な易剥離性フィルムに関する。
【０００２】
【従来の技術】
従来より、食品等を充填する包装体において、その対象となる被着材の一つであるポリエステル容器が前記食品等容器に広く利用されている。
【０００３】
【発明が解決しようとする課題】
このものは、内容物を充填してからヒートシール法にて蓋材と容器とを密封する場合、蓋材のシーラントとして容器と同種のプラスチックを配せば、融着状態にてヒートシールされるために強固なヒートシル性は得られるが、内容物を取り出す際には、シール力が強過ぎるために刃物等にて開口部を切り開かねばならないといった不便さが存在する。
【０００４】
また、ポリエステル樹脂を共重合法、または、ブレンド等の技術により変性させることにより、ヒートシール力を人間の手の力にて剥離できる程度にコントロールされたシーラントを、蓋材に複合した構成も技術開示されているが、このものは、容器と蓋材間の界面剥離により開封されている構造であるために、容器のシール部に内容物等が付着する、いわゆる、夾雑物シールの場合にヒートシール性を大きく阻害する欠点を有する。
【０００５】
本発明は、前記に係る欠点を改良すべく、ヒートシール性を阻害することがなく、かつ、易剥離性を有する易開封性包装体に極めて有用なポリエステル系の食品包装用易剥離性フィルムを得ることを目的としている。
【０００６】
【課題を解決するための手段】
前記した目的を達成するための本発明の手段は、被着材に対して融着状態にて接着をなす易凝集破壊性を有する、ポリエステル成分を80重量％以上含むヒートシール性ポリエステル系プラスチック層であって、破断伸度が０に近い非晶性線状飽和ポリエステルに他に少なくともポリカーボネイトを含んだ厚みが１５μｍ以下の第１層と、該第１層に隣接しこの第１層と融着状態にて接着をなす易凝集破壊性を有さないポリエステル系プラスチック層の第２層と、が共押出積層されている易剥離性フィルムにある。
【０００７】
【作用】
前記のように構成される本発明は以下に述べる作用を奏する。
易凝集破壊性を有するヒートシール性ポリエステル系プラスチック層を第１層に15μｍ以下の薄膜厚に配し、該第１層の隣接層には、この第１層と融着状態にて接着をなす易凝集破壊性を有さないポリエステル系プラスチック層を第２層に２層共押出フィルムである食品包装用易剥離性フィルムを成形し、これを、容器における蓋材の内面、または、蓋材における容器の内面、または、袋として積層されることにより、この２層共押出フィルムを被着材、または、該フィルム同志を融着状態にて接着させると、開封時該共押出フィルムの第１層においてヒートシール端部から凝集破壊が生じ、更に、ヒートシール巾方向へ、該第１層の凝集破壊が伝幡して、他方のヒートシール端部の切断により易剥離が達成される。
【０００８】
【実施例】
次に、この発明に関する食品包装用易剥離性フィルムによる包装体の開封方法の実施の一例を図面に基づいて説明する。
図１に本発明実施例の２層共押出フィルムＡの構成が図示されているもので、第１層１と第２層２とにより構成されている。
【０００９】
そして、この第１層１は、被着材に対して融着状態にて接着をなす引張破断強度 100〜350kg ／cm２,破断伸度30〜100 ％，フィルム層間強度0.5 〜2.0kg/15mm，厚み15μｍ以下の易凝集破壊性を有するように変性された物性範囲を有するポリエステル系プラスチック層である。
【００１０】
また、第２層２は、この第１層１の隣接層として、該第１層１と融着状態にて接着をなす易凝集破壊性を有さないポリエステル系プラスチック層からなっていて、これら第１層１と第２層２とは、共押出積層されることで易剥離性フィルムＡが形成されている。
【００１１】
前記した第１層１の厚みは15μｍ以下、好ましくは５〜10μｍである。
この理由は、図４に示された剥離モデルにて明らかな如く、凝集破壊される層は、隣接層とのフィルム層間強度差（凝集剥離強度差）があればある程、また、厚み比が大きければ大きい程、凝集剥離し易いという知見を得て本発明を完成するに至った。
【００１２】
前記したように、図４に示された剥離モデルにて明らかな如く、ヒートシールバー７の端部に位置する第１層１の切断６により、剥離が開始される機構のために、該層１が厚過ぎると抗張力が当然強くなり、結果的に剥離開始力が強くなり過ぎることとか均一な切断が得られにくくなることにより、不均一な切断が生じ易く商品価値を失う。
【００１３】
該第１層１が逆に薄過ぎると、凝集破壊性が不均一に生じ易く、この部分が剥離後に著しく外観不良を生じる。
例えば、ヒートシールの端部において生じやすいシール圧力のアンバランスの内、圧力が強く生じた場合に、第２層２と第１層１が融合することにより、この部分において凝集破壊強度が大きくなり過ぎ、結果的に過度な剥離力を必要としたり、剥離部に不均一な凝集剥離のための荒れた表面状態になり易い。
【００１４】
更に、係る現象に相乗的に作用する物性は、該第１層１の破断伸度であり、該物性の適性範囲は30〜100 ％である。
該物性の上限を越える場合は、剥離時の切断性（凝集破壊性）が悪くなり、また、下限以下の場合は脆性が大きくなるために、衝撃強度等の物性を大幅に低下させる。
【００１５】
本発明による剥離メカニズムにおいては、第１層１の厚み部分から面方向へ凝集破壊されて行くことより、該層１のフィルム層間強度を前記した範囲に強度設計しないと所期の易剥離性を得る事ができない。
すなわち、フィルム層間強度が弱過ぎると、ヒートシール強度も弱過ぎる結果となって包装保護強度に不安が生じる。
【００１６】
また、フィルム層間強度が強過ぎると、今度はヒートシール強度も強過ぎて易剥離性が得られない結果となる。
【００１７】
このような適性物性を有する第１層１であるポリエステル系プラスチックを得るために、本発明者等は鋭意研究の結果、良好なヒートシール性を有する破断伸度が０に近い非晶性線状飽和ポリエステルに、耐熱性，耐衝撃性および易凝集破壊性を与えることを目的とする性能に良好に適合できる他のプラスチックおよび添加剤をブレンドすることにより目的を達成できることを見出した。
【００１８】
そして、係るブレンドポリエステルは、例えば、熱流動性の極端に異なる線状に飽和ポリエステル同志のブレンドによる方法、その他、ポリエステルに比較的相溶性を有するポリブチレンテレフタレート，ポリカーボネート等のブレンド、更に、無機充填物であるタルクをブレンドする方法等によって内部構造的には、いわゆる、海島状の均一分散を作成することにより得られるものである。
【００１９】
但し、食品包装の場合ポリエステルの有する特徴の一つであるフレーバ、および、味覚に対する保持性を維持するためには、できるだけポリエステル成分を多くする必要があり、一般に80重量％以上のポリエステル成分がブレンドされていることが望ましい。
【００２０】
フィルム層間強度の測定は先ず、本発明構成の共押フィルムを、Ｔダイキャスティングによって50μｍ厚のフィルムを作成する。
【００２１】
該フィルムを延伸ナイロンフィルム15μｍ厚とウレタン系接着剤にて、ドライラミネーションにて複合した試料のシーラント面同志を、 180℃×2.0kg/cm２ ×1.0 秒のヒートシール条件にてヒートシールを行ない、この試料を15m/m のシール巾により剥離速度300mm/分，剥離角度90°の条件にて、テンシロン型引張試験機にて剥離試験を行ない、該ヒートシール部がフィルムの厚み層間で凝集剥離する抵抗値をフィルム層間強度として示した。
【００２２】
本発明の食品包装用易剥離性フィルムＡは共押出キャスティング法により製造され、フィードブロックタイプのＴ−ダイキャスティング法が好ましいが他の方法によっても構わない。
【００２３】
該フィルムＡは、他の基材とドライラミネーション，押出サンドラミネーション，サーマルラミネーション等巾広い方法により複合できる。
また、この食品包装用易剥離性フィルムＡは、袋，容器のシール層や蓋材のシール層等に巾広く利用できるものである。
【００２４】
例えば、図２に示すように、食品包装用易剥離性フィルムＡを、包装体である容器３の容体４に被着される蓋材５に採用されるものであって、ヒートシールバー７により容体４のフランジ部８においてヒートシールされる。
【００２５】
また、図３に示すように、この食品包装用易剥離性フィルムＡは、包装体である容器３の容体４にも採用することができるものであって、この容体４の開口部を覆う蓋材５を被着して、ヒートシールバー７により容体４のフランジ部８においてヒートシールされる。
更に、この食品包装用易剥離性フィルムＡは、図５に示すように、容体４と蓋材５の両部材に設けることもできるもので、その構成形態は、図２および図３のものと同様である。
【００２６】
【発明の効果】
前述のように構成される本発明は、ヒートシールすることにより、食品等の内容物の有するフレーバー成分を十分に保持することができると共に、開封時にあっては、このヒートシール部を容易に人の手で剥離することにより開口できる特有な効果を奏するものである。
【図面の簡単な説明】
【図１】  本発明の食品包装用易剥離性フィルムの一部を拡大して示す断面図である。
【図２】  図１におけるフィルムを蓋材に用いた例の容器とのヒートシール状態を示す断面図である。
【図３】  図１におけるフィルムを容器に用いた例の蓋材とのヒートシール状態を示す断面図である。
【図４】  図１におけるフィルムの剥離状態を更に拡大して示す一部の断面図である。
【図５】  図１におけるフィルムを容体と蓋材とに用いた例のヒートシール状態を示す断面図である。
【符号の説明】
１        第１層
２        第２層
【図１】
0003706153.tif 000002
【図２】
0003706153.tif 000003
【図３】
0003706153.tif 000004
【図４】
0003706153.tif 000005
【図５】
0003706153.tif 000006